(57)【要約】【課題】複数の高温水供給路や複数の低温水供給路を選択的に開通状態に切換制御して高温水と低温水を混合して浴槽等に出湯させる湯水混合給湯装置において、閉止状態が長引くことにより供給路内の滞留水に菌が増殖する等の事態発生を回避する。【解決手段】一対の高温水供給路８及び低温水供給路９からなる混合系統８，９毎に閉時間カウンタを設け、閉止状態の開始からの時間経過をカウントする。カウント値（閉時間）が最大の混合系統を選択して開通状態にする。開通状態にした後、所定の設定流通時間が経過するか、所定の設定出湯量が出湯すれば閉時間カウンタをリセットし、このリセットにより開通状態の混合系統８，９を閉止し、代わりに、その時点で最大の閉時間の混合系統８，９を選択して開通状態に切換える。【選択図】図２
2018162918.tif 000002
【特許請求の範囲】
【請求項１】
高温水と低温水とを混合した混合温水を出湯路に出湯するように構成された湯水混合給湯装置であって、
下流端が前記出湯路に合流するよう並列に配置され互いに独立して開閉切換可能に高温水を供給するよう構成された複数の高温水供給路と、
下流端が前記出湯路に合流するよう並列に配置され互いに独立して開閉切換可能に低温水を供給するよう構成された複数の低温水供給路と、
前記複数の高温水供給路及び複数の低温水供給路をそれぞれ開閉切換制御するための開閉切換制御部とを備え、
前記開閉切換制御部は、前記高温水供給路毎、及び、前記低温水供給路毎に、閉止状態の開始時点からの時間経過を計測するための閉時間カウンタを備え、前記複数の高温水供給路から選択した一部の高温水供給路及び前記複数の低温水供給路から選択した一部の低温水供給路を共に開通状態に切換える一方、残りの高温水供給路及び低温水供給路を閉止状態にすることで混合された前記混合温水を出湯させる場合、前記開通状態に切換える時点で前記閉時間カウンタの値がそれぞれ最大値である高温水供給路及び低温水供給路を選択して閉止状態から開通状態に切換制御するように構成されている、
ことを特徴とする湯水混合給湯装置。
【請求項２】
高温水と低温水とを混合した混合温水を出湯路に出湯するように構成された湯水混合給湯装置であって、
下流端が前記出湯路に合流するよう配置されて高温水を開閉切換可能に供給するよう構成された高温水供給路と、下流端が前記出湯路に合流するよう配置され低温水を開閉切換可能に供給するよう構成された低温水供給路とで対をなす混合系統を複数備え、
前記複数の混合系統をそれぞれ開閉切換制御するための開閉切換制御部を備え、
前記開閉切換制御部は、前記混合系統毎に閉止状態の開始時点からの時間経過を計測するための閉時間カウンタを備え、前記複数の混合系統から選択した一部の混合系統を開通状態に切換える一方、残りの混合系統を閉止状態にすることで混合された前記混合温水を出湯させる場合、前記開通状態に切換える時点で前記閉時間カウンタの値が最大値の混合系統を選択して閉止状態から開通状態に切換制御するように構成されている、
ことを特徴とする湯水混合給湯装置。
【請求項３】
請求項１又は請求項２に記載の湯水混合給湯装置であって、
前記開閉切換制御部は、前記閉時間カウンタに基づいて閉止状態から開通状態に切換制御した後、所定の設定流通時間が経過すれば、その閉時間カウンタをリセットするように構成されている、湯水混合給湯装置。
【請求項４】
請求項１又は請求項２に記載の湯水混合給湯装置であって、
前記出湯路を通過する出湯量を検出するための出湯量検出手段を備え、
前記開閉切換制御部は、前記閉時間カウンタに基づいて閉止状態から開通状態に切換制御した後、前記出湯量検出手段により所定の設定出湯量以上の出湯が検出されれば、その閉時間カウンタをリセットするように構成されている、湯水混合給湯装置。
【請求項５】
請求項３又は請求項４に記載の湯水混合給湯装置であって、
前記開閉切換制御部は、前記閉時間カウンタがリセットされると、開通状態にする対象を交代させる切換制御を実行するように構成されている、湯水混合給湯装置。
【請求項６】
請求項１〜請求項５のいずれかに記載の湯水混合給湯装置であって、
前記各高温水供給路及び前記各低温水供給路には、供給流量可変でかつ開閉切換可能とするための制御弁が介装されており、
開通状態にされた高温水供給路及び低温水供給路の両制御弁を、前記混合温水の温度が設定出湯温度になるように制御するための温調制御部を備えている、湯水混合給湯装置。
【発明の詳細な説明】
【技術分野】
【０００１】
本発明は、連結給湯システム等の別体の熱源機から供給される高温水に低温水を混合することで温度調整して浴槽等に出湯させるための湯水混合給湯装置に関する。
【背景技術】
【０００２】
従来、予め温度調整したお湯を浴槽に供給することは知られている。例えば、下記の特許文献１には、温泉場から組み上げた源泉の湯の温度を水温調整装置で調整し、温度調整後の湯を、温泉供給装置により複数の個室の温泉浴槽のそれぞれに供給することが記載されている。そして、かかる水温調整装置として、液−液熱交換器で構成され、水と液−液熱交換させることで高温の源泉を所定の温度まで低下させるものが記載されている（同文献の段落００４０−００４１，図２参照）。
【先行技術文献】
【特許文献】
【０００３】
【特許文献１】特開２００９−３０８８１号公報
【発明の概要】
【発明が解決しようとする課題】
【０００４】
ところで、銭湯等の浴場施設の大きな浴槽に対し所定温度の湯を供給するために、高温水と低温水とを所定の流量比率で混合することにより所定温度に温度調整（以下「温調」という）するという構成を採用した湯水混合給湯装置が考えられる。かかる湯水混合給湯装置において、高温水供給路と、低温水供給路とをそれぞれ流量調整可能に合流させる際に、浴槽への出湯路に対し下流端が合流するよう並列に配置された複数の高温水供給路と、同様に前記出湯路に対し下流端が合流するよう並列に配置された複数の低温水供給路とを備え、空の浴槽への湯張り時には全ての高温水供給路及び低温水供給路を開通状態にして所定温度の温水を供給し、湯張り後はいずれかの高温水供給路及び低温水供給路のみを開通状態にして一定量の温水供給を継続させる、という供給方法が考えられる。
【０００５】
しかしながら、複数の高温水供給路や複数の低温水供給路の内部には閉止状態にある間に滞留水が溜まり、閉止状態が長引けば菌の増殖が懸念される等の不具合発生の可能性が想定される。
【０００６】
そこで、本発明は、前記不具合発生のおそれを解消し得る湯水混合給湯装置を提供することを目的とする。
【課題を解決するための手段】
【０００７】
上記目的を達成するために、次の技術的手段を講じた。
【０００８】
すなわち、第１の発明は、高温水と低温水とを混合した混合温水を出湯路に出湯するように構成された湯水混合給湯装置を対象にして、下流端が前記出湯路に合流するよう並列に配置され互いに独立して開閉切換可能に高温水を供給するよう構成された複数の高温水供給路と、下流端が前記出湯路に合流するよう並列に配置され互いに独立して開閉切換可能に低温水を供給するよう構成された複数の低温水供給路と、前記複数の高温水供給路及び複数の低温水供給路をそれぞれ開閉切換制御するための開閉切換制御部とを備え、前記開閉切換制御部として、前記高温水供給路毎、及び、前記低温水供給路毎に、閉止状態の開始時点からの時間経過を計測するための閉時間カウンタを備え、前記複数の高温水供給路から選択した一部の高温水供給路及び前記複数の低温水供給路から選択した一部の低温水供給路を共に開通状態に切換える一方、残りの高温水供給路及び低温水供給路を閉止状態にすることで混合された前記混合温水を出湯させる場合、前記開通状態に切換える時点で前記閉時間カウンタの値がそれぞれ最大値である高温水供給路及び低温水供給路を選択して閉止状態から開通状態に切換制御することを特徴とするものである（請求項１）。
【０００９】
かかる発明の湯水混合給湯装置によれば、複数の高温水供給路の内から閉時間カウンタの値が最大値の高温水供給路と、複数の低温水供給路の内から閉時間カウンタの値が最大値の低温水供給路とをそれぞれ選択して、これらを開通状態に切換制御することができる。つまり、新たに開通状態に切換える対象として、それまでの閉時間が最大である高温水供給路及び低温水供給路が選択されるようになるため、閉止状態が長く続くことで内部の滞留水に菌が繁殖するなどの不都合発生のおそれを確実に防止することができる。
【００１０】
第２の発明は、高温水と低温水とを混合した混合温水を出湯路に出湯するように構成された湯水混合給湯装置を対象にして、下流端が前記出湯路に合流するよう配置されて高温水を開閉切換可能に供給するよう構成された高温水供給路と、下流端が前記出湯路に合流するよう配置され低温水を開閉切換可能に供給するよう構成された低温水供給路とで対をなす混合系統を複数備え、前記複数の混合系統をそれぞれ開閉切換制御するための開閉切換制御部を備え、前記開閉切換制御部として、前記混合系統毎に閉止状態の開始時点からの時間経過を計測するための閉時間カウンタを備え、前記複数の混合系統から選択した一部の混合系統を開通状態に切換える一方、残りの混合系統を閉止状態にすることで混合された前記混合温水を出湯させる場合、前記開通状態に切換える時点で前記閉時間カウンタの値が最大値の混合系統を選択して閉止状態から開通状態に切換制御することを特徴とするものである（請求項２）。
【００１１】
かかる発明の湯水混合給湯装置によれば、高温水供給路及び低温水供給路で対をなす混合系統を開閉切換制御の対象にし、新たに開通状態に切換える対象として、それまでの閉時間が最大である混合系統が選択されるようになるため、閉止状態が長く続くことで内部の滞留水に菌が繁殖するなどの不都合発生のおそれを確実に防止することができる。
【００１２】
閉時間カウンタを設ける場合、開閉切換制御部として、閉時間カウンタに基づいて閉止状態から開通状態に切換制御した後、所定の設定流通時間が経過すれば、その閉時間カウンタをリセットする構成とすることができる。開通状態のまま所定時間（設定流通時間）が経過すれば、開通状態にする対象を他のものに交代させるのである。あるいは、出湯路を通過する出湯量を検出するための出湯量検出手段を備え、開閉切換制御部として、閉時間カウンタに基づいて閉止状態から開通状態に切換制御した後、出湯量検出手段により所定の設定出湯量以上の出湯が検出されれば、その閉時間カウンタをリセットする構成とすることができる。つまり、開通状態に切換後に所定量（設定出湯量）の出湯があれば、開通状態にする対象を他のものに交代させるのである。
【００１３】
さらに、開閉切換制御部として、閉時間カウンタがリセットされると、開通状態にする対象を交代させる切換制御を実行する構成とすることができる。この場合、閉時間カウンタの役割として、そのカウント値（閉時間）の長短により開通状態に切換える選択基準とし得る他、その閉時間カウンタのリセットのタイミングによって、開通状態にした対象を閉止状態にして他の対象を開通状態に切換えるためのタイミングとすることができる。
【００１４】
本発明の湯水混合給湯装置としては、各高温水供給路及び各低温水供給路に、供給流量可変でかつ開閉切換可能とするための制御弁が介装され、開通状態にされた高温水供給路及び低温水供給路の両制御弁を、混合温水の温度が設定出湯温度になるように制御するための温調制御部を備えていてよい。この場合、前記制御弁として流量制御弁を備え、この流量制御弁の開度調整によって高温水と低温水との混合比率を調整して混合水の温度調整が可能に構成されていてよい。
【発明の効果】
【００１５】
第１の発明に係る湯水混合給湯装置によれば、複数の高温水供給路の内から閉時間カウンタの値が最大値の高温水供給路と、複数の低温水供給路の内から閉時間カウンタの値が最大値の低温水供給路とをそれぞれ選択して、これらを開通状態に切換制御するようにしているため、閉止状態が長く続くことで内部の滞留水に菌が繁殖するなどの不都合発生のおそれを確実に防止することができる。
又、第２の発明に係る湯水混合給湯装置によれば、高温水供給路及び低温水供給路で対をなす混合系統を開閉切換制御の対象にし、新たに開通状態に切換える対象として、それまでの閉時間が最大である混合系統が選択されるようにしているため、閉止状態が長く続くことで内部の滞留水に菌が繁殖するなどの不都合発生のおそれを確実に防止することができる。
【図面の簡単な説明】
【００１６】
【図１】本発明の一実施形態に係る湯水混合給湯装置を適用した浴場システムの例を示す模式図である。
【図２】湯水混合給湯装置の例を示す模式図である。
【図３】閉時間カウント制御の例を示すフローチャートである。
【図４】開閉切換制御の例を示すフローチャートである。
【図５】図３とは異なる閉時間カウント制御の例を示すフローチャートである。
【発明を実施するための形態】
【００１７】
以下、本発明の好適な実施形態を図面に基づいて説明する。
【００１８】
図１は、本発明の一実施形態に係る湯水混合給湯装置１を適用した浴場システムの例を示している。この浴場システムは、湯水混合給湯装置１から出湯された所定の設定温度の混合温水を浴湯として浴槽２に給湯（補給）する一方、浴槽２内の湯水をろ過装置３によりろ過するように構成されている。かかる浴場システムにおける浴槽２としては、温泉施設や銭湯等の比較的大きな浴槽を対象としたものである。ろ過装置３は、営業時間中は常時又は所定の時間帯において、循環ポンプ３１の作動により、浴槽２内の浴湯を取り込んでろ過槽３２を通過させることでろ過し、ろ過後の浴湯を浴槽２に戻すという循環動作を行うようになっている。ろ過前にヘアーキャッチャー（図示省略）に通過させることで、浴湯に含まれる毛髪等を予め捕集しておくようにすることができる。又、ろ過後の浴湯を、例えば液−液熱交換器により所定温度まで加温した上で浴槽２に戻すようにすることができる。
【００１９】
湯水混合給湯装置１は、別体に設置された大型ボイラや熱源機（例えば、複数台の給湯器を連結してなる連結給湯装置）等４から供給される高温水と、上水道などの水源から供給される低温水（常温の非加熱水等）とを、湯水混合給湯装置１において所定比率で混合することで設定温度に温調し、混合後の混合温水を浴槽２に出湯するよう構成されている。以下、図２を参照しつつ、詳細に説明する。
【００２０】
湯水混合給湯装置１は、高温水と低温水とを混合してなる混合温水を出湯するための出湯路５と、熱源機等４から例えば８０℃の高温水が供給される入湯路６と、水源から例えば２０℃の低温水が供給される入水路７と、入湯路６と出湯路５との間に並列に設けられた複数本（図例では３本）の高温水供給路８，８，８と、入水路７と出湯路５との間に並列に設けられた複数本（図例では３本）の低温水供給路９，９，９とを備えている。
【００２１】
出湯路５には、その管軸方向に離間して３つの混合部５１，５１，５１が設けられており、各混合部５１に対して一の高温水供給路８と一の低温水供給路９との各下流端が合流するように接続されている。各混合部５１に接続された高温水供給路８と低温水供給路９とは、出湯路５の直径方向に対向して合流するように設けられており、各供給管路６，７から供給される高温水と低温水とが混合部５１内で衝突して撹拌混合されるようになっている。このように混合部５１を挟んで一の高温水供給路８と一の低温水供給路９とが対をなして１つの混合系統を構成し、本実施形態では高温水供給路８及び低温水供給路９の組み合わせを３対（３つの混合系統）設けた例を示している。なお、図２の符号５ａは出湯接続配管であり、この出湯接続配管５ａはその上流端が接続口を介して出湯路５の下流端に接続され、下流端が浴槽２まで延びるよう配管されたものである。
【００２２】
各高温水供給路８は、入湯路６内の高温水が熱源機等４からの給湯圧により出湯路５へ供給されるよう入湯路６と出湯路５とを接続するものである。なお、熱源機等４は、水源の給水圧を利用して高温水の供給を行うものであってよい。
【００２３】
又、各低温水供給路９は、入水路７内の低温水が水源の給水圧により出湯路５へ供給されるよう入水路７と出湯路５とを接続するものである。なお、入湯路６や入水路７の上流端の接続口側に、給湯圧や給水圧を調整するための減圧弁６１，７１や、逆流を阻止するための逆止弁６２，７２を設けることができる。
【００２４】
なお、出湯路５の管径（口径）は、入湯路６及び入水路７のそれぞれの管径よりも大きく、例えば流路断面積で２倍程度となされている。入湯路６の管径と入水路７の管径は等しくなされている。また、各高温水供給路８及び各低温水供給路９の管径は、入湯路６及び入水路７の管径よりも小さく、これら供給路８，９は比較的小径の配管によって構成されている。例えば、供給路８，９の管径は、一般的な家庭用の瞬間給湯器に用いられている配管と同じ管径とすることができる。
【００２５】
各高温水供給路８には流量制御弁８１及び電磁開閉弁８２が直列に設けられている。実施形態においては、電磁開閉弁８２は上流側（入湯路６側）に配設され、流量制御弁８１は下流側（出湯路５側）に配設されている。これら流量制御弁８１及び電磁開閉弁８２により、高温水供給路８を開閉切換するための制御弁が構成される。一方、各低温水供給路９には、低温水供給路９を開閉切換するための制御弁を構成する流量制御弁９１（制御弁）及び流量センサ９２が設けられている。流量センサ９２は流量制御弁９１の上流側位置に配設されている。これら流量制御弁８１，９１及び電磁開閉弁８２は、制御部１０によってリモコン１０１等からの設定信号や指令信号等に基づいて動作制御されるよう配線接続されている。
【００２６】
流量制御弁８１，９１は、いずれも制御部１０により駆動制御されるステッピングモータにより弁軸（図示せず）を駆動することによって開度を全閉から全開まで調整可能に構成されている。つまり、流量制御弁８１，９１は、開度調整による流量制御機能に加え、完全に供給路８，９を閉止して流れを遮断し得る全閉機能を備えたものに構成されている。なお、高温水供給路８の側には電磁開閉弁８２が設けられているため、全閉機能を有さない流量制御弁を設けることができる。高温水供給路８に流れる高温水の温度が比較的高い(例えば８０℃)ため、電磁開閉弁８２に加え全閉機能付きの流量制御弁８１を設けることで、電磁開閉弁８２が万一故障した際にも全閉切換可能として高温水の下流への流出を回避することができるようになる。
【００２７】
又、低温水供給路９の側に流量センサ９２が設けられている理由は、高温水供給路９により混合部５１に供給される高温水の温度が前記の如く比較的高いため、安全のため、高温水と低温水との湯水混合の際は、まずは低温水供給路９から低温水を流し、低温水が流れていることを流量センサ９２からの流量検出により確認した上で、高温水供給路８から高温水を流すようにしており、このような状況下で、流量センサ９２により低温水が流れていることを検出・確認するためである。このため、流量センサ９２に代えて、水流スイッチ等を用いることができる。さらに、低温水供給路９に対し、全閉機能付きの流量制御弁９１に代えて、全閉機能を有さない流量制御弁と電磁開閉弁との組み合わせを設けることもできる。
【００２８】
出湯路５には、３つの混合部５１，５１，５１よりも下流側位置に出湯温度センサ５２が設けられており、出湯路５を流れる混合温水の温度を検出して、その検出値を制御部１０に出力するようになっている。又、入湯路６には高温水供給路８，８，８の分岐位置よりも上流側位置に入湯温度センサ６３が設けられており、入湯路６を流れる高温水の温度を検出して、その検出値を制御部１０に出力するようになっている。さらに、入水路７には、低温水供給路９，９，９の分岐位置よりも上流側位置に入水温度センサ７３が設けられており、入水路７を流れる低温水の温度を検出して、その検出値を制御部１０に出力するようになっている。
【００２９】
なお、図２中の符号５３は混合後の混合温水の混合度合をさらに高めて均一に混合するための屈曲部である。このような屈曲部５３又は混合のための他の手段を積極的に設ける場合、前記の如く高温水供給路８及び低温水供給路９の両下流端を混合部５１挟んで対向配置にして合流するようにはせずに、単に出湯路５に合流させるようにしてもよい。
【００３０】
制御部１０はマイコンにより主構成され、予め記憶された所定のプログラムに基づいて各種制御を実行するようになっている。又、制御部１０は、所定の通信プロトコルにより通信を行うための図示省略の通信回路が接続されている。この通信回路を介して、リモコン１０１の他にも通信プロトコルに対応する他の機器の制御部(例えばろ過装置３の制御部３３又はリモコン３４；図１参照）と通信可能に接続することができる。かかる通信回路として、例えば２芯により電源を供給するとともに電源電圧に通信データを重畳させてシリアル通信を行う２芯通信回路により構成することができる。
【００３１】
又、浴槽２には水位センサ２１が取り付けられており、この水位センサ２１により検出した浴槽２内の浴湯の水位検出値を制御部１０に出力可能に構成されている。水位センサ２１としては圧力式若しくは水位電極式など、適宜の検出方式のものを採用することができる。
【００３２】
リモコン１０１は表示部と各種操作部とを備えており、このリモコン１０１へのユーザーの入力操作により、混合温水を出湯させて浴槽２に補給するための補給運転開始／停止操作、補給運転の予約設定操作、浴槽２への出湯温度の設定操作、及び、浴槽２への湯はり運転開始などの各種操作を行えるようになっている。
【００３３】
制御部１０は、前記の補給運転や湯張り運転のために各混合系統（８，９）の制御弁（流量制御弁８１，電磁開閉弁８２，流量制御弁９１）を制御対象にして開閉切換制御を行う開閉切換制御部や、温調制御を行う温調制御部を備えている。ここで、熱源機等４から入湯路６に供給される高温水は、前記の設定出湯温度を考慮して低温水との混合が必要になるよう比較的高い温度（例えば６０〜８０℃）のものとされ、湯張り運転や補給運転が行われる場合には高温水供給路８及び低温水供給路９が共に開通状態にされるようになっている。又、湯張り運転の際には、３つの混合系統（８，９、８，９、８，９）の全てが開通状態にされ、設定出湯温度に温調した混合温水を大流量（例えば３系統合計で最大１２０Ｌ／分の流量）で浴槽２に供給して所定水位まで湯張りする。湯張り完了後の補給運転では、３つの内のいずれか１つの混合系統（８，９）を開通状態にして、設定出湯温度に温調した混合湯水を継続して供給することで浴槽２内の表面層の浴湯を溢れさせるようにしたり、水位センサ２１による水位監視に基づき混合温水を間欠的に供給することで浴槽の水位を一定に維持させるようにしたりする。
【００３４】
補給運転は、ユーザーによるリモコン１０１の運転開始操作、又は、運転開始が予約設定された時刻の到来等により、いずれかの混合系統（８，９）が制御部１０により開通状態に切換えられて開始される一方、同リモコン１０１の運転停止操作、又は、運転停止が予約設定された時刻の到来により、全ての混合系統（８，９、８，９、８，９）が制御部１０により閉止状態に切換えられて停止される。
【００３５】
本実施形態では、補給運転を３つの混合系統（８，９、８，９、８，９）の内から選択した１つの混合系統（８，９）を開通状態にして行う一方、閉止状態で内部に滞留水が滞留したまま閉止状態が長時間継続することを防止するために、開通状態にする混合系統（８，９）を所定の時間経過毎に順次切換可能としている。そのために、混合系統（８，９）毎にその混合系統（８，９）が閉止状態にある時間（閉時間）をカウントするための閉時間カウンタを備え、この混合系統（８，９）毎の閉時間カウンタのカウント値（閉時間）に基づいて次に開通状態にする対象をそれまで閉止状態にあった他の混合系統（８，９、８，９）の内から選択・決定して開閉切換制御を実行するようにしている。選択の基準は、閉時間カウンタによる閉時間が最も長い混合系統（８，９）を、次に開通状態に切換える対象として選択する。
【００３６】
閉時間カウンタは、例えば制御部１０に内蔵されているタイマ・カウンタを用いることができ、開閉切換制御により開通状態から閉止状態に切換制御される制御信号に基づいて当該混合系統（８，９）に係る閉時間のカウントを開始し、以下説明するように所定の条件成立によりリセットされる。かかる閉時間カウンタは、監視対象の混合系統（８，９）毎に備えられる。本実施形態では３つ備えられ、これらについて閉時間カウント制御部による閉時間カウント制御が実行される。
【００３７】
以下、図３を参照しつつ、各閉時間カウンタの閉時間カウント制御について説明する。まず、前記の閉止状態への切換制御信号に基づいて対応する混合系統（８，９）が閉止状態に切換えられれば（ステップＳ１でＹＥＳ）、その混合系統（８，９）に割り当てられている閉時間カウンタのカウントを開始する（ステップＳ２）。そして、閉止状態が維持される限り（ステップＳ１でＹＥＳ）、閉時間のカウントを続ける（ステップＳ２）。
【００３８】
一方、閉止状態から開通状態に切換えられると（ステップＳ１でＮＯ）、所定の設定流通時間以上が経過するまで開通状態を持続させる（ステップＳ３でＮＯ）。設定流通時間とは、開通状態に切換制御された混合系統（８，９）による混合温水の出湯（流通）を続ける間に、閉止状態にある他の混合系統（８，９、８，９）の内部で滞留する温水が滞留に起因して例えば菌の繁殖等の不都合が発生しない最短の経過時間（例えば２４時間）を設定する。
【００３９】
そして、開通状態のまま設定流通時間以上の時間が経過すれば（ステップＳ１でＮＯ，Ｓ３でＹＥＳ）、閉時間カウンタをリセットし（カウント値をゼロに戻す）、併せて、設定流通時間の経過をカウントするための開時間カウンタも停止してリセットする（ステップＳ４）。
【００４０】
以上の閉時間カウント制御による閉時間のカウントに基づき、開閉切換制御部による開閉切換制御は、図４に示すように、まず、前記の補給運転の開始要求等があれば（ステップＳ１１でＹＥＳ）、閉時間カウンタによりカウントされた閉時間がその時点で最大となっている混合系統（８，９）を選択し、選択された混合系統（８，９）を開通状態に切換制御する（ステップＳ１２）。この切換制御は、その選択された混合系統（８，９）に属する低温水供給路９の流量制御弁９１を開切換制御し、この開切換制御により低温水の流れが流量センサ９２による流量検出により確認されれば、高温水供給路８の電磁開閉弁８２及び流量制御弁８１を共に開切換制御する。これにより、当該混合系統（８，９）に属する高温水供給路８から供給される高温水と、低温水供給路９から供給される低温水とが混合部５１で混合され、次に説明する温調制御により温調された混合温水が出湯路５に出湯され、出湯接続配管５ａを通して浴槽２に補給されることになる。
【００４１】
この切換制御に併せて、図示省略の温調制御部による温調制御が実行され、入湯温度センサ６３による検出温度、入水温度センサ７３による検出温度、出湯温度センサ５２による検出温度、及び、リモコン１０１等に設定された設定出湯温度に基づき、高温水供給路８の流量制御弁８１及び低温水供給路９の流量制御弁９１の両開度を例えばフィードバック制御することで、混合後に出湯路５に出湯される混合温水の温度が設定出湯温度になるように温調される。この際、各混合部５１を挟んで両下流端が対向する高温水供給路８と低温水供給路９とで一の混合系統（８，９）を構成しているため、各混合系統（８，９）において、高温水側で入湯温度センサ６３から混合部５１までの距離と、低温水側で入水温度センサ７３から混合部５１までの距離とがほぼ同じとなる。このため、温調のための温度制御を容易にかつ正確に行うことができるようになる。
【００４２】
そして、当該混合系統（８，９）の開通状態を、この混合系統（８，９）を対象とする閉時間カウンタがリセットされるまで続ける（ステップＳ１３でＮＯ，Ｓ１１でＹＥＳ，Ｓ１２）。そして、その閉時間カウンタがリセットされれば（ステップＳ１３でＹＥＳ）、現在開通状態の混合系統（８，９）を閉止状態に切換制御し、代わりに、閉時間が次に最大の混合系統（８，９）を選択し、選択した混合系統（８，９）を新たに開通状態に切換制御する（ステップＳ１４）。この切換制御に伴い、温調制御も実施される。
【００４３】
以上の閉時間カウント制御並びにこの閉時間カウント制御を用いた開閉切換制御の場合、ある混合系統（８，９）の開通状態が所定時間（設定流通時間）以上経過すると（図３のステップＳ３でＹＥＳ）、その混合系統（８，９）は閉切換制御されて（図４のステップＳ１３でＹＥＳ，Ｓ１４）、代わりに、他の混合系統（８，９）が開切換制御されて開通状態に順次切換えられる（同ステップＳ１４）。これにより、閉止状態が長く続くことで内部の滞留水に菌が繁殖するなどの不都合発生のおそれを効果的に防止することができる。しかも、新に開通状態に切換えられる対象として、それまでの閉時間が最大である混合系統（８，９）が選択されるようにしているため、前記の滞留水による不都合発生のおそれを確実に防止することができる。そして、開通状態に切換える混合系統（８，９）をいずれにするかの選択を閉時間カウンタのカウント値（閉時間）の長短によって決めることができる一方、その閉時間カウンタのリセットのタイミングによって、開通状態にした混合系統（８，９）を閉止状態にして他の混合系統（８，９）を開通状態に切換えるためのタイミングとすることができる。
【００４４】
以上は、閉時間カウント制御において開通状態のまま所定時間（設定流通時間）が経過すれば閉時間カウンタをリセットする例について説明したが、以下に説明するように、開通状態で所定量（例えば設定出湯量）の温水が通過すれば、閉時間カウンタをリセットするようにすることができる。
【００４５】
すなわち、図５に示すように、閉止状態への切換制御信号に基づいて対応する混合系統（８，９）が閉止状態に切換えられれば（ステップＳ１でＹＥＳ）、その混合系統（８，９）に割り当てられている閉時間カウンタのカウントを開始し（ステップＳ２）、この閉時間のカウントを閉止状態が維持される限り続ける（ステップＳ１でＹＥＳ，ステップＳ２）。
【００４６】
一方、閉止状態から開通状態に切換えられると（ステップＳ１でＮＯ）、開通状態の混合系統（８，９）からの出湯量を積算し（ステップＳ５）、所定の設定出湯量以上が出湯されるまで続ける（ステップＳ６でＮＯ，Ｓ１でＮＯ，Ｓ５）。出湯量の積算は、例えば低温水供給路９の流量センサ９２を用いて行う場合には、この流量センサ９２の検出流量値と、設定出湯温度に温調するために温調制御により制御される両流量制御弁８１，９１により流量制御値の比率とから、その時点での出湯路５への出湯流量が得られ、この出湯流量値を時間経過に合わせて積分することで得ることができる。このように流量センサ９２と、積分等の演算を行う制御部１０とで出湯量検出手段が構成される。又、出湯路５に出湯流量センサを設置する場合には、出湯路５に出湯される混合温水の流量をその出湯流量センサにより検出して積分するようにしてもよい。この場合は、出湯流量センサと制御部とで出湯量検出手段が構成される。
【００４７】
一方、設定出湯量（例えば５００Ｌ〜１０００Ｌ）以上が出湯されれば（ステップＳ６でＹＥＳ）、閉時間カウンタをリセットし（カウント値をゼロに戻す）、併せて、出湯量の積算も停止してリセットする（ステップＳ７）。
【００４８】
そして、このような閉時間カウント制御による閉時間のカウントに基づき、開閉切換制御部による開閉切換制御が前述の開閉切換制御（図４参照）と同様に集合される。
【００４９】
このような閉時間カウント制御並びにこの閉時間カウント制御を用いた開閉切換制御の場合、ある混合系統（８，９）内に、開通状態への切換により所定の出湯量（設定出湯量）以上に相当する低温水及び高温水の流れが流されると（図５のステップＳ６でＹＥＳ）、その混合系統（８，９）は閉切換制御されて（図４のステップＳ１３でＹＥＳ，Ｓ１４）、代わりに、他の混合系統（８，９）が開切換制御されて開通状態に順次切換えられる（同ステップＳ１４）。これにより、全ての混合系統（８，９、８，９、８，９）に万遍なく低温水又は高温水が流されるようになるため、閉止状態が長く続くことで内部の滞留水に菌が繁殖するなどの不都合発生のおそれを効果的に防止することができる。しかも、新に開通状態に切換えられる対象として、それまでの閉時間が最大である混合系統（８，９）が選択されるようにしているため、前記の滞留水による不都合発生のおそれを確実に防止することができる。そして、開通状態に切換える混合系統（８，９）をいずれにするかの選択を閉時間カウンタのカウント値（閉時間）の長短によって決めることができる一方、その閉時間カウンタのリセットのタイミングによって、開通状態にした混合系統（８，９）を閉止状態にして他の混合系統（８，９）を開通状態に切換えるためのタイミングとすることができる。
【００５０】
なお、本発明は、上記実施形態に限定されるものではなく、適宜設計変更できる。例えば、前記実施形態では、混合部５１を挟んで対向配置された一対の高温水供給路８及び低温水供給路９により構成された混合系統（８，９）を１単位として、開通か閉止かの開閉切換制御を実行しているが、これに限らず、複数の高温水供給路と、複数の低温水供給路とのそれぞれから選択した１以上を開閉切換制御の対象とすることができる。この場合には、複数の高温水供給路の各個に対応した複数の閉時間カウンタの内から最大のカウント値（閉時間）を示す高温水供給路（この高温水供給路に介装された開閉電磁弁や流量制御弁により構成された制御弁）を選択するとともに、複数の低温水供給路の各個に対応した複数の閉時間カウンタの内から最大のカウント値（閉時間）を示す低温水供給路（この高温水供給路に介装された開閉電磁弁や流量制御弁により構成された制御弁）を選択し、こら選択された高温水供給路及び低温水供給路をそれぞれ開通状態に切換制御する。
【符号の説明】
【００５１】
１          湯水混合給湯装置
５          出湯路
８          高温水供給路
９          低温水供給路
１０        制御部（開閉切換制御部、温調制御部）
８１，９１  流量制御弁（制御弁）
８２        電磁開閉弁（制御弁）
９２        出湯量検出手段
【図１】
2018162918.tif 000003
【図２】
2018162918.tif 000004
【図３】
2018162918.tif 000005
【図４】
2018162918.tif 000006
【図５】
2018162918.tif 000007